(57)【要約】【課題】本発明は、自動的に再起動の回数を計算することができるサーバの起動回数計数カードを提供することを目的とする。【解決手段】本発明のサーバの起動回数計数カードは、サーバの再起動回数を計算し、該回数を表示することに用いられる。サーバの起動回数計数カードは、プリント基板と、前記プリント基板に設置され、前記サーバのメインボードのＬＰＣインターフェースに挿し込まれ且つ基本入力出力システムが出力したリセット信号を受信するコネクタと、前記プリント基板に設置され、電源に接続されて電流を提供し且つ前記基本入力出力システムが出力したリセット信号に対して計算する制御器と、該計算した結果を表示する第一表示領域と、を備える。【選択図】図１
2013134778.tif 000002
【特許請求の範囲】
【請求項１】
サーバの再起動回数を計算し、該回数を表示するサーバの起動回数計数カードにおいて、
プリント基板と、
前記プリント基板に設置され、前記サーバのメインボードのＬＰＣインターフェースに挿し込まれ且つ基本入力出力システムが出力したリセット信号を受信するコネクタと、前記プリント基板に設置され、電源に接続されて電流を提供し且つ前記基本入力出力システムが出力したリセット信号に対して計算する制御器と、該計算した結果を表示する第一表示領域と、を備えることを特徴とするサーバの起動回数計数カード。
【請求項２】
前記サーバの起動回数計数カードは、さらに第二表示領域を備え、前記コネクタは、前記基本入力出力システムが出力した各ハードウェアのデータを獲得し、前記制御器は、受信した該データを分析し且つ該分析した結果を前記第二表示領域によって表示することを特徴とする請求項１に記載のサーバの起動回数計数カード。
【請求項３】
前記サーバの起動回数計数カードは、さらに水晶発振回路を備え、前記制御器はプログラマブルロジックデバイスであり、前記プログラマブルロジックデバイスは、前記水晶発振回路によって、動作周波数を提供し、前記水晶発振回路は、第一容量と、第二容量と、水晶発振子と、を備え、第一容量の第一端子はそれぞれ水晶発振子ピンに接続され、第二端子はアースし、前記水晶発振子は、第一容量と、第二容量の第二端子とに接続されることを特徴とする請求項１に記載のサーバの起動回数計数カード。
【発明の詳細な説明】
【技術分野】
【０００１】
本発明は、サーバの起動回数計数カードに関するものである。
【背景技術】
【０００２】
サーバのメインボードを生産する過程において、メインボードのスイッチの繰り返し起動を検査して、メインボードの安定性を検査している。具体的には、サーバのシャットダウンと、起動した回数が、予め設定した基準回数に達するかどうかを判断し、例えば、シャットダウン及び起動した回数が２０００回であり、予め設定した基準回数も２０００回であれば、サーバのメインボードの安定性は高いということを表す。しかし、サーバの一回の再起動にかかる時間が２５ｓであれば、２０００回の再起動に要する時間は十三時間にも及んでしまう。また、手動によってサーバの再起動回数を記録する場合は、更に長い時間を必要とするため、コストも高くなり誤差も発生し易い。
【発明の概要】
【発明が解決しようとする課題】
【０００３】
以上の問題点に鑑みて、本発明は、自動的にサーバの再起動の回数を計算することができるサーバの起動回数計数カードを提供することを目的とする。
【課題を解決するための手段】
【０００４】
本発明の計数カードは、サーバの再起動回数を計算し且つ該回数を表示する。計数カードは、プリント基板に設置され、前記サーバのメインボードＬＰＣインターフェースに挿し込まれ且つ基本入力出力システムが出力したリセット信号を受信するコネクタと、前記プリント基板に設置され、電源に接続されて電流を提供し且つ前記基本入力出力システムが出力したリセット信号対して計算する制御器と、該計算した結果を表示する第一表示領域と、を備える。
【発明の効果】
【０００５】
本発明のサーバの起動回数計数カードは、制御器１０によって基本入力出力システムが出力したデータを分析して、出力したサーバの状態を表示し、更に、低いレベルのリセット信号によって、サーバの再起動の回数を計算して表示する。従って、容易に再起動の回数に基づいて、サーバにおけるスイッチの繰り返し検査が行われたかどうかを判断することができる。
【図面の簡単な説明】
【０００６】
【図１】本発明に係るサーバの起動回数計数カードの構造図である。
【図２】本発明に係るサーバの起動回数計数カードの回路図である。
【発明を実施するための形態】
【０００７】
以下、図面に基づいて、本発明に係るサーバの起動回数計数カードについて詳細に説明する。
【０００８】
図１に示したように、本発明に係るサーバの起動回数計数カードは、サーバの再起動回数を計算し且つ該回数を表示することに用いられる。このサーバの起動回数計数カードは、プリント基板３０と、制御器１０と、コネクタ４０と、第一表示領域５０と、第二表示領域６０と、スイッチ回路７０と及びリセット回路８０と、を備える。制御器１０と、コネクタ４０と、第一表示領域５０と、第二表示領域６０と、スイッチ回路７０及びリセット回路８０とは、プリント基板３０上に設置される。
【０００９】
サーバが起動すると、各ハードウェアは、サーバのメインボードに設置された基本入力出力システム（Ｂａｓｉｃ  Ｉｎｐｕｔ／Ｏｕｔｐｕｔ  Ｓｙｓｔｅｍ、ＢＩＯＳ）によって初期化され、該基本入力出力システムは、ＬＰＣ（Ｌｏｗ  Ｐｉｎ  Ｃｏｕｎｔ）のインターフェースによって、各ハードウェアの状態データを出力する。ＬＰＣインターフェースは、第一〜第四アドレスピンと、フレーム信号ピンと、クロック信号ピン及びリセット信号ピンと、を備える。サーバを再起動させる際、基本入力出力システムは、ＬＰＣバスを介して低いレベルのリセット信号を出力する。これにより、サーバの起動回数計数カードは、基板管理制御器が出力したデータを受信した後、該データを分析することによって、サーバの状態データを獲得する。例えば、サーバを起動した際、（この際、メインボードの各ハードウェアは正常状態である）基板管理制御器は“ＦＦ”符号のデータを出力し、サーバの起動回数計数カードは、該データを受信して分析した後“ＦＦ”のコードデータを表示する。メモリバンクが動くと、基板管理制御器は“２Ａ”符号のデータを含んで出力した後、サーバの起動回数計数カードは、該データを受信して分析した後“２Ａ”のコードデータを表示する。また、テストカードを使用して、受信したリセット信号によって、サーバ再起動の回数を計算することもできる。
【００１０】
図２に示したように、制御器１０の電源ピンＶＣＣは、Ｐ３Ｖ３−ＡＵＸ電源と電気的に接続され、且つコネクタ４０が受信したデータを分析して処理する。ここで、データとは、メインボードのＬＰＣインターフェースが出力したデータである。第一表示領域５０及び第二表示領域６０は、制御器１０によって処理されたデータを表示する。第一表示領域５０は二つのシュミットトリガを備え、第二表示領域６０は四つのシュミットトリガを備える。各シュミットトリガは、一つの電源ピンと、七つのデータピンと、を備え、該電源ピンは、電源Ｐ３Ｖ３−ＡＵＸとそれぞれ電気的に接続される。制御器１０のピンＩＯ１〜ＩＯ４２は、それぞれ抵抗Ｒ３〜Ｒ４４によって、対応する六つのシュミットトリガのデータピンと接続される。本発明の実施形態において、制御器１０は、プログラマブルロジックデバイス（Ｃｏｍｐｌｅｘ  Ｐｒｏｇｒａｍｍａｂｌｅ  Ｌｏｇｉｃ  Ｄｅｖｉｃｅ、ＣＰＬＤ）であり、このプログラマブルロジックデバイスは、水晶発振回路２０によって動作周波数を提供する。水晶発振回路２０は、水晶発振子２００と、容量Ｃ５及び容量Ｃ６と、を備える。容量Ｃ５とＣ６の第一端子は、ＣＰＬＤ１０の二つの水晶発振子ピンＸ１〜Ｘ２とそれぞれ接続され、第二端子はアースする。水晶発振子２００は、容量Ｃ５〜Ｃ６の第二端子の間に接続される。
【００１１】
スイッチ回路７０は、サーバの起動回数計数カードの処理状態を制御し且つスイッチＳ２を備える。このスイッチＳ２の一端子はアースし、別の一端子はＣＰＬＤ１０の使用可能ピンＯＥと接続される。サーバの起動回数計数カードが処理状態である場合、スイッチ回路７０を駆動してサーバの起動回数計数カードの計数を停止させる。計数カードが処理状態でない場合、スイッチ回路７０を駆動してＣＰＬＤ１０の使用可能ピンＯＥに低いレベルを受信させて計数カードを駆動する。
【００１２】
コネクタ４０は、メインボードのＬＰＣインターフェースに挿し込むことに用いられ、第一挿し込み孔Ｊ１〜第十挿し込み孔Ｊ１０を備える。第一挿し込み孔Ｊ１〜第四挿し込み孔Ｊ４は、制御器１０のピンＩＯ４３〜ＩＯ４６と、ＬＰＣインターフェースの第一アドレスピン〜第四アドレスピンとに接続され、ＬＰＣインターフェースが受信したデータを、制御器１０のピンＩＯ４３〜ＩＯ４６に出力する。第七挿し込み孔Ｊ７〜第九挿し込み孔Ｊ９は、それぞれＬＰＣインターフェースのクロック信号ピンと、リセット信号ピンと、フレーム信号ピン及び制御器１０のピンＩＯ４７〜ＩＯ４９とに接続され且つ受信したデータを、制御器１０のピンＩＯ４７〜ＩＯ４９に送信する。この際、コネクタ４０の第五挿し込み孔Ｊ５は使用されず、第十挿し込み孔Ｊ１０はアースし、第六挿し込み孔Ｊ６は電源Ｐ３Ｖ３−ＡＵＸと電気的に接続され、電源Ｐ３Ｖ３−ＡＵＸは容量Ｃ４によってアースする。リセット回路８０は、ボタンＳ１と、二つの抵抗Ｒ１、Ｒ２と、シュミットトリガＤ及び二つの容量Ｃ１、Ｃ２と、を備える。シュミットトリガＤの電源ピン５は、電源Ｐ３Ｖ３−ＡＵＸと電気的に接続され、アース端子３はアースされ、端子１は使用されず、出力端子４は制御器１０のピンＩＯ５０と接続され且つ抵抗Ｒ２によって、シュミットトリガＤの入力端子２と接続され、シュミットトリガＤの入力端子２は、ボタンＳ１によってアースする。リセット回路８０は、計数カード内に保存されたサーバの再起動の回数をリセットする。サーバがスイッチの繰り返し検査を終えると、ボタンＳ１を触発し、該ボタンＳ１は低いレベル信号をシュミットトリガＤの入力端子２に出力する。この際、シュミットトリガＤの出力端子は低いレベルの制御信号を制御器１０のピンＩＯ５０に出力する。このように、保存されたサーバの再起動回数をリセットした後、サーバの起動回数計数カードを使用して、別のサーバに対してスイッチの繰り返し検査を行う。
【００１３】
計数カードを使用する際、先ずコネクタ４０を、サーバのメインボードのＬＰＣインターフェースに挿し込み、基本入力出力システムが出力した各ハードウェアデータ及びリセット信号を制御器１０に送信する。次いで制御器１０は、ＬＰＣによって受信したデータを分析し且つ該分析したデータを、第一表示領域６０によって表示する。サーバのメインボードが起動すると、制御器１０は第一表示領域５０によって “ＦＦ”のコードデータを表示する。メインボードのメモリバンクが動くと、制御器１０は第一表示領域５０によって “２Ａ“のコードデータを表示する。これにより、検査者は、第一表示領域５０が表示したコードデータに基づいて、メインボードの各ハードウェアの処理状態を獲得することができるため、検査に便利である。また、制御器１０は、リセット信号を受信したどうかを判断する。このリセット信号を受信した場合、サーバが自動的に再起動を行ったことを表す。この際、制御器１０はリセット信号の回数を保存し且つ計算した後、第二表示領域６０によって計算した回数をリアルタイムに表示する。これにより、計数カードによってサーバの再起動の回数を計算することができる。
【００１４】
第二表示領域６０が表示した再起動回数を削除したい場合はボタンＳ１を押せば良い。また、サーバの再起動の回数に対する計算を必要としない場合はボタンＳ２を押せば良い。
【００１５】
本発明の計数カードは、制御器１０によって基本入力出力システムが出力したデータを分析して、出力したサーバの状態を表示し、更に、低いレベルのリセット信号によって、サーバの再起動の回数を計算して表示する。従って、再起動の回数に基づいて、サーバにおけるスイッチの繰り返し検査が行われたかどうかを容易に判断することができる。
【符号の説明】
【００１６】
２              入力端子
４              出力端子
５              電源ピン
１０            制御器
２０            水晶発振回路
３０            プリント基板
４０            コネクタ
５０            第一表示領域
６０            第二表示領域
７０            スイッチ回路
８０            リセット回路
Ｒ１−Ｒ４４    抵抗  
Ｓ１、Ｓ２      スイッチ
Ｃ１−Ｃ６      容量
Ｄ１−Ｄ６      シュミットトリガ
２００          水晶発振子
Ｊ１〜Ｊ１０    挿し込み孔
【図１】
2013134778.tif 000003
【図２】
2013134778.tif 000004